(57)【特許請求の範囲】
【請求項１】
スライドガラスを長手方向を横にし且つ立てた状態で収容する上方に開口するスライドガラス収容凹部を有し、上部外周面に遠心機に吊り下げるためのフランジを有するスライドガラスの遠心機用ラックであって、前記スライドガラス収容凹部の両端部をスライドガラスの厚みより僅かに大きな間隙をもって形成し、該間隙でスライドガラスを位置決めし、スライドガラスの中間部表面を前記スライドガラス収容凹部を画成する側壁から離反した状態に保持させるようにしたことを特徴とするスライドガラスの遠心機用ラック。
【請求項２】
前記スライドガラス収容凹部の両端部を画成する側壁の上部を切欠き、前記スライドガラス収容凹部に収容したスライドガラスの両端部の一部が前記切欠きに露出するようにしたことを特徴とする請求項１に記載のスライドガラスの遠心機用ラック。
【請求項３】
長手方向端を画成する側壁外面と底壁外面とが会合する角部を円弧面または傾斜面によって形成したことを特徴とする請求項１または２に記載のスライドガラスの遠心機用ラック。
【請求項４】
長手方向端を画成する側壁内面と底壁内面とが会合する角部を、遠心力方向と垂直な面に対して底面に向かって外側に逃げるような円弧面または傾斜面によって形成したことを特徴とする請求項１，２または３に記載のスライドガラスの遠心機用ラック。
【請求項５】
前記スライドガラス収容凹部を画成する底壁から上方へ延設されるリブを形成し、該リブにスライドガラスの下端面を保持させるようにしたことを特徴とする請求項１，２，３または４に記載のスライドガラスの遠心機用ラック。
【請求項６】
前記リブを、前記スライドガラス収容凹部を画成する一方の側壁に一体的に配設し、他方の側壁との間に間隙を形成させたことを特徴とする請求項５に記載のスライドガラスの遠心機用ラック。
【発明の詳細な説明】
【０００１】
【発明の属する技術分野】
本発明は、遠心処理するのに適したスライドガラスの遠心機用ラックに関するものである。
【０００２】
【従来の技術】
例えば、ＤＮＡマイクロアレイ技術では、一般にＤＮＡをスライドガラスの上に張り付けて検査を行なう。その場合、検出感度はスライドガラス表面の状態に影響されるため、スライドガラスへのコーティングやＤＮＡハイブリダイズ工程等で使用した試薬の除去や乾燥に遠心機が使用される。
【０００３】
【発明が解決しようとする課題】
ところで、このような遠心機では、ロータにスライドガラスを保持させて遠心処理を行ない、遠心機のチャンバー内に遠心処理された水分（液分）を排出するため、その処理をする構造にしなくてはならず、遠心機が複雑、かつ大型化してしまう。
【０００４】
そこで、本発明の目的は、特別な構造の遠心機を使うことなく、スライドガラスの脱水を行なえる遠心機用ラックを提供し、遠心機の小型化を図ることにある。
【０００５】
【課題を解決するための手段】
本発明に係る請求項１のスライドガラスの遠心機用ラックでは、スライドガラスを長手方向を横にし且つ立てた状態で収容する上方に開口するスライドガラス収容凹部を有し、上部外周面に遠心機に吊り下げるためのフランジを有するスライドガラスの遠心機用ラックであって、前記スライドガラス収容凹部の両端部をスライドガラスの厚みより僅かに大きな間隙をもって形成し、該間隙でスライドガラスを位置決めし、スライドガラスの中間部表面を前記スライドガラス収容凹部を画成する側壁から離反した状態に保持させるようにしたことを特徴としている。
この発明のラックによれば、遠心力によって吹き飛ばされた水分（液分）は、スライドガラス収容凹部に溜められる。即ち、スライドガラスをロータに直接装着させる必要がないので、遠心機に排水設備等を設ける必要がなくなり、それだけ遠心機の構造が簡単になる。
また、この発明のラックによれば、スライドガラスの中間部表面、即ちＤＮＡ等の被処理物が付着されている部分がスライドガラス収容凹部の側壁から確実に離反した状態に保持される。
【０００７】
本発明に係る請求項２のスライドガラスの遠心機用ラックでは、請求項１の発明において、前記スライドガラス収容凹部の両端部を画成する側壁の上部を切欠き、前記スライドガラス収容凹部に収容したスライドガラスの両端部の一部が前記切欠きに露出するようにしたことを特徴としている。
この発明のラックによれば、切欠きから露出したスライドガラスの両端部を摘んでスライドガラスをラックから取り出すことができるので、スライドガラスの取り出しが容易であり、かつスライドガラスの中間部表面に付着されている被処理物に手を触れる虞はない。
【０００８】
本発明に係る請求項３のスライドガラスの遠心機用ラックでは、請求項１または２の発明において、長手方向端を画成する側壁外面と底壁外面とが会合する角部を円弧面または傾斜面によって形成したことを特徴としている。
この発明のラックによれば、外郭角部が張り出していないので、ロータに装着して回転させた場合に、ラックの回転軌跡は小さくなり、それだけ遠心機の小型化が図れる。
【０００９】
本発明に係る請求項４のスライドガラスの遠心機用ラックでは、請求項１，２または３の発明において、長手方向端を画成する側壁内面と底壁内面とが会合する角部を、遠心力方向と垂直な面に対して底面に向かって外側に逃げるような円弧面または傾斜面によって形成したことを特徴としている。
この発明のラックによれば、遠心作用によって飛び散った水分（液分）が、スライドガラス収容凹部を画成する側壁内面，円弧面または斜面に沿って底壁に導かれ、確実に底部に溜められる。
【００１０】
本発明に係る請求項５のスライドガラスの遠心機用ラックでは、請求項１，２，３または４の発明において、前記スライドガラス収容凹部を画成する底壁から上方へ延設されるリブを形成し該リブにスライドガラスの下端面を保持させるようにしたことを特徴としている。
この発明のラックによれば、スライドガラスがスライドガラス収容凹部の底壁から十分な間隔をもって配置されるので、遠心作用によって溜められた水分（液分）に浸されることはない。
【００１１】
本発明に係る請求項６のスライドガラスの遠心機用ラックでは、請求項５の発明において、前記リブを、前記スライドガラス収容凹部を画成する一方の側壁に一体的に配設し、他方の側壁との間に間隙を形成させたことを特徴としている。
この発明のラックによれば、リブによってスライドガラス収容凹部の底部が分割されることなく連続するので、底部に溜まった水分（液分）は片寄ることなく均等に分配される。
【００１４】
【発明の実施の形態】
図１は遠心機を示した斜視図、図２はその要部であるロータを示した斜視図、図３は本発明に係るスライドガラスの遠心機用ラックを示した斜視図、図４は図３に示したラックのＡ−Ａ線断面図、図５は図３に示したラックの平面図、図６は図３に示したラックのＢ−Ｂ線断面図、図７はロータにラックを装着させた状態を示した断面図である。
【００１５】
この遠心機１０は、ロータ１１に特徴を有しており、ロータ１１は矩形のプレートによって形成されている。このロータ１１は、駆動軸１２（図７参照）に対して垂直方向に延設され、中心に駆動軸１２に固設されるボス１３を備えた矩形状の平板部１１ａと、該平板部１１ａの相対向する辺から所定の角度、例えば４５°で上方へ延設された傾斜部１１ｂ，１１ｂとによって形成されている。そして、傾斜部１１ｂには、後述するスライドガラスＰの遠心機用ラック２０を挿入する矩形の孔１４がそれぞれ形成されている。
【００１６】
この発明のラック２０は、ポリカーボネート等の合成樹脂によって、スライドガラスＰの厚さ，長さ，幅（例えば、１．１×７６．２×２５．４ｍｍ程度）よりも大きな概略直方体状に一体成形されており、上方に開口するスライドガラス収容凹部２１を有している。この凹部２１は、スライドガラスＰの厚みに対して十分に大きな間隙Ｌ１を有し、長手方向両端にスライドガラスＰの厚みに対して僅かに大きな間隙Ｌ２を有している。さらに、凹部２１の内部は、図４に示したように、側壁２１ａの外面と底壁２１ｂの外面との会合部が弧面２１ｃによって形成され、また側壁２１ａの内面と底壁２１ｂの内面との会合部が弧面２１ｄによって形成されている。そして、弧面２１ｄは、ラック２０が遠心機１０のロータ１１に装着されて回転された際に生じる遠心力によって液が飛び散った際に、その液が底壁２１ｂに向かって流れるように、底壁２１ｂに向かうにしたがって、遠心力方向Ｃに対して直角な線Ｄよりも外方向に逃げるような面によって形成されている。
また、この凹部２１を画成する底壁２１ｂには、２つのリブ２２，２３が形成されている。そして、図５に示したように、一方のリブ２２は一方の側壁２１ｅと一体に形成され、他方のリブ２３は他方の側壁２１ｅと一体に形成されており、それらのリブ２２，２３と相対向する側壁２１ｅ，２１ｅとの間に通路２２ａ，２３ａを画成している。
また、ラック２０の上部周面にはフランジ２４が形成されており、凹部２１の長手方向両端部を画成する側壁２１ａの上部は切欠かれ、そこに切欠き部２５が形成されている。
さらに、この凹部２１を画成する側壁２１ａの上端開口、即ち凹部２１の長手方向両端部には、面取り２６が施されており、凹部２１を画成する側壁２１ｅの上端開口、即ち凹部２１の短手方向両端部にも、面取り２７が施されている。
【００１７】
このように構成されたラック２０には、その上部開口から凹部２１へスライドガラスＰが挿入される。凹部２１へ挿入されたスライドガラスＰは、図４に２点鎖線で示したように、下端面がリブ２２，２３の上端で支持され、両端部が凹部２１の間隙Ｌ２部に収容される。
したがって、スライドガラスＰは、両端部を除く表面が側壁２１ｅと適宜な間隔をもって、また底壁２１ｂから十分上方に位置してラック２０内に保持される。そして、図４に示したように、スライドガラスＰの両端部および上辺部はラック２０からはみ出した状態で保持される。
【００１８】
このようにスライドガラスＰが装填されたラック２０は、図７に示したように、ロータ１１の孔１４に挿入される。すると、ラック２０は、そのフランジ２４によってロータ１１に傾斜部１１ｂの傾斜に対応して適宜な傾斜に位置決め保持される。
そして、ロータ１１が回転されると、スライドガラスＰに付着している水分（液分）は、遠心力によって吹き飛ばされが、その水分はラック２０の側壁２１ａ，弧面２１ｄ等に当たり、側壁２１ａ，弧面２１ｄ等に沿って底壁２１ｂまで導かれ、そこに溜められる。
【００１９】
遠心処理が終了すると、スライドガラスＰをラック２０から取り外す必要があるが、その際には、スライドガラスＰの両端部、即ちラック２０の切欠き部２５にはみ出した部分を摘んで、ラック２０から取り出せば、スライドガラスＰを容易に取り出すことができる。
【００２０】
なお、上記実施の形態では、ラック２０の側壁２１ａの外面と底壁２１ｂの外面との会合部を弧面２１ｃによって形成しているが、該会合部を斜面によって形成してもよく、また側壁２１ａの内面と底壁２１ｂの内面との会合部を弧面２１ｄによって形成しているが、該会合部も斜面によって形成してもよいことは勿論である。
【００２１】
また、上記実施の形態では、フランジ２４をラック２０の周面全体に形成せいているが、長手方向の面のみ，長手方向両端の面のみに形成してもよく、さらには、周面全体に非連続的に形成してもよいことは言うまでもない。
【００２２】
【発明の効果】
本発明に係る請求項１のスライドガラスの遠心機用ラックによれば、遠心力によって吹き飛ばされた水分（液分）は、ラックのスライドガラス収容凹部に溜められる。即ち、スライドガラスをロータに直接装着させる必要がないので、遠心機に排水設備等を設ける必要がなくなり、それだけ遠心機の構造が簡単になる。
また、本発明に係る請求項１のスライドガラスの遠心機用ラックによれば、スライドガラスの両端部でスライドガラスを位置決め保持されるため、スライドガラスの中間部表面、即ちＤＮＡ等の被処理物が付着されている部分がスライドガラス収容凹部の側壁から確実に離反した状態に保持される。
【００２４】
本発明に係る請求項２のスライドガラスの遠心機用ラックによれば、切欠きから露出したスライドガラスの両端部を摘んでスライドガラスをラックから取り出すことができるので、スライドガラスの取り出しが容易であり、かつスライドガラスの中間部表面に付着されている被処理物に手を触れる虞はない。
【００２５】
本発明に係る請求項３のスライドガラスの遠心機用ラックによれば、外郭角部が張り出していないので、ロータに装着して回転させた場合に、ラックの回転軌跡は小さくなり、それだけ遠心機の小型化が図れる。
【００２６】
本発明に係る請求項４のスライドガラスの遠心機用ラックによれば、遠心作用によって飛び散った水分（液分）が、スライドガラス収容凹部を画成する側壁内面，円弧面または斜面に沿って底壁方向に導かれ、確実に底部に溜められる。
【００２７】
本発明に係る請求項５のスライドガラスの遠心機用ラックによれば、スライドガラスがスライドガラス収容凹部の底壁から十分な間隔をもって配置されるので、遠心作用によって底部に溜められた水分（液分）に浸されることはない。
【００２８】
本発明に係る請求項６のスライドガラスの遠心機用ラックによれば、リブと側壁との間の間隙によって、スライドガラス収容凹部の底部がリブによって分割されることなく連続するので、底部に溜まった水分（液分）は片寄ることなく均等に分配される。
【図面の簡単な説明】
【図１】  遠心機の一実施の形態を示した斜視図である。
【図２】  図１に示した遠心機の要部であるロータを示した斜視図である。
【図３】  本発明のスライドガラスの遠心機用ラックを示した斜視図である。
【図４】  図３に示したラックのＡ−Ａ線断面図である。
【図５】  図３に示したラックの平面図である。
【図６】  図３に示したラックのＢ−Ｂ線断面図である。
【図７】  図１に示したロータに図３に示したラックを装着させた状態を示した断面図である。
【符号の説明】
１０        遠心機
１１        ロータ
１１ａ        平板部
１１ｂ        傾斜部
１２        駆動軸
１３        ボス
１４        孔
２０        ラック
２１        スライドガラス収容凹部
２１ａ      側壁
２１ｂ      底壁
２１ａ，２１ｄ    弧面または斜面
２１ｅ      側壁
２２，２３    リブ
２２ａ，２３ａ    通路
２４        フランジ
２５        切欠き部
２６，２７    面取り
Ｃ          遠心力方向
【図１】
0004766789.tif 000002
【図２】
0004766789.tif 000003
【図３】
0004766789.tif 000004
【図４】
0004766789.tif 000005
【図５】
0004766789.tif 000006
【図６】
0004766789.tif 000007
【図７】
0004766789.tif 000008